(57)【要約】【課題】  複数の光源の相対位置の変化を小さくすること。【解決手段】  露光装置は、それぞれが主走査方向に沿って配列された複数の光源２２０を含む複数の光源基板２０１，２０２，２０３を備え、複数の光源基板２０１，２０２，２０３は、複数の光源基板２０１，２０２，２０３それぞれに含まれる複数の光源２２０の光軸が主走査方向に交わる副走査方向にずれるように配置される。【選択図】        図３
2019209586.tif 000002
【特許請求の範囲】
【請求項１】
それぞれが主走査方向に沿って配列された複数の光源を含む複数の光源基板を備え、
複数の前記光源基板は、複数の前記光源基板それぞれに含まれる複数の前記光源の光軸が前記主走査方向に交わる副走査方向にずれるように配置される、露光装置。
【請求項２】
複数の前記光源基板は、前記主走査方向および前記副走査方向にそれぞれ交わる重なり方向にずれるように配置される、請求項１に記載の露光装置。
【請求項３】
複数の前記光源基板それぞれは、前記重なり方向に隣り合う他の前記光源基板と接触領域で熱伝導可能な状態で結合される、請求項２に記載の露光装置。
【請求項４】
複数の前記光源基板それぞれを、他の前記光源基板と前記接触領域で結合する接触部材をさらに備えた、請求項３に記載の露光装置。
【請求項５】
複数の前記光源基板それぞれは、前記重なり方向に隣り合う他の前記光源基板と結合領域で物理的に結合される、請求項２〜４のいずれかに記載の露光装置。
【請求項６】
複数の前記光源基板それぞれは、前記重なり方向が第１方向で隣り合う前記光源基板と結合する第１結合領域と、前記重なり方向が第１方向と反対の第２方向で隣り合う前記光源基板と結合する第２結合領域とを含み、
複数の前記光源基板それぞれにおいて、前記第２結合領域は、前記副走査方向において、前記第１結合領域と複数の前記光源との間に配置される、請求項５に記載の露光装置。
【請求項７】
複数の前記光源基板それぞれにおいて、前記光源基板の複数の前記光源と前記重なり方向が前記第１方向で隣り合う前記光源基板の複数の前記光源との間の距離と、前記光源基板の複数の前記光源と前記重なり方向が前記第２方向で隣り合う前記光源基板の複数の前記光源との間の距離と、が予め定められた温度において同じになるように、前記第１結合領域および前記第２結合領域の位置が設定される、請求項６に記載の露光装置。
【請求項８】
複数の前記光源基板それぞれを、前記光源基板に含まれる複数の前記光源と前記副走査方向において同じ位置で前記副走査方向における位置を定める位置決め手段を、さらに備えた請求項１〜４のいずれかに記載の露光装置。
【請求項９】
複数の前記光源基板にそれぞれ対応し、複数の前記光源から射出された光を被写体に集光させる複数の光学素子を、さらに備えた請求項１〜８のいずれかに記載の露光装置。
【請求項１０】
請求項１〜９のいずれかに記載の露光装置を備えた画像形成装置。
【発明の詳細な説明】
【技術分野】
【０００１】
この発明は、露光装置および画像形成装置に関し、特に、主走査方向に沿って複数の光源が配列された露光装置およびその露光装置を備えた画像形成装置に関する。
【背景技術】
【０００２】
近年、ＯＬＥＤ（Ｏｒｇａｎｉｃ  Ｌｉｇｈｔ−Ｅｍｉｔｔｉｎｇ  Ｄｉｏｄｅ）を光源として使用したプリントヘッドが知られている。このプリントヘッドは、複数の光源と、光が照射される感光体ドラムとの相対位置が適切に設定される必要がある。
【０００３】
例えば、特開２０１５−１５７４４６号公報には、入射面と出射面とが傾斜を為す結像光学素子の真直度を適切に矯正することを可能とするために、複数の発光部が整列されて設けられた基板と、前記各発光部からの光を像面上で光スポットとする結像光学素子と、前記結像光学素子における撓みを矯正する矯正部材と、を備え、前記結像光学素子は、前記各発光部からの光が入射される入射面と、前記入射面から入射された光を出射させる出射面と、を有し、前記入射面と前記出射面とは、傾斜を為す位置関係とされ、前記結像光学素子は、前記入射面に直交する入射直交方向で前記矯正部材に押し当てられるとともに、前記出射面に直交する出射直交方向で前記矯正部材に押し当てられることを特徴とするプリントヘッドが記載されている。
【０００４】
プリントヘッドは、ガラス基板上に複数の光源を主走査方向に沿って配列しているため、主走査方向に長い形状となる場合が多い。そして、複数の光源は発熱するためにガラス基板の温度が部分的に上昇する場合、ガラス基板が変形するといった問題がある。
【特許文献１】特開２０１５−１５７４４６号公報
【発明の概要】
【発明が解決しようとする課題】
【０００５】
この発明は上述した問題点を解決するためになされたもので、この発明の目的の一つは、複数の光源の相対位置の変化を小さくした露光装置を提供することである。
【０００６】
この発明の他の目的は、安定した画質で画像を形成可能な画像形成装置を提供することである。
【課題を解決するための手段】
【０００７】
この発明は上述した問題点を解決するためになされたもので、この発明のある局面によれば、露光装置は、それぞれが主走査方向に沿って配列された複数の光源を含む複数の光源基板を備え、複数の光源基板は、複数の光源基板それぞれに含まれる複数の光源の光軸が主走査方向に交わる副走査方向にずれるように配置される。
【０００８】
この局面に従えば、複数の光源基板それぞれが複数の光源を含むので、複数の光源から発生する熱を複数の光源基板間で分散することができる。また、複数の光源の光軸が副走査方向にずれるように複数の光源基板が配置されるので、複数の光源基板それぞれにおいて複数の光源の主走査方向の間隔としてある程度の距離を確保することができる。このため、熱源が複数の光源基板に分散するので、複数の光源基板ぞれぞれの変形を小さくすることができる。その結果、複数の光源の相対位置の変化を小さくした露光装置を提供することができる。
【０００９】
好ましくは、複数の光源基板は、主走査方向および副走査方向にそれぞれ交わる重なり方向にずれるように配置される。
【００１０】
この局面に従えば、複数の光源基板を重なり方向に重ねることができるので、副走査方向のサイズを小さくすることができる。
【００１１】
好ましくは、複数の光源基板それぞれは、重なり方向に隣り合う他の光源基板と接触領域で熱伝導可能な状態で結合される。
【００１２】
この局面に従えば、複数の光源基板間で伝熱するので、複数の光源から発する熱を効率的に伝熱することができる。
【００１３】
好ましくは、複数の光源基板それぞれを、他の光源基板と接触領域で結合する接触部材をさらに備える。
【００１４】
この局面に従えば、複数の光源基板が接触部材で結合されるので、効率的に伝熱することができる。
【００１５】
好ましくは、複数の光源基板それぞれは、重なり方向に隣り合う他の光源基板と結合領域で物理的に結合される。
【００１６】
この局面に従えば、複数の光源基板それぞれは、重なり方向に隣り合う他の光源基板と結合領域で物理的に結合されるので、２つの光源基板それぞれに含まれる複数の光源の副走査方向における距離を、２つの光源基板が物理的に結合される位置を基準に定めることができる。
【００１７】
好ましくは、複数の光源基板それぞれは、重なり方向が第１方向で隣り合う光源基板と結合する第１結合領域と、重なり方向が第１方向と反対の第２方向で隣り合う光源基板と結合する第２結合領域とを含み、複数の光源基板それぞれにおいて、第２結合領域は、副走査方向において、第１結合領域と複数の光源との間に配置される。
【００１８】
この局面に従えば、光源基板において、第２結合領域が、副走査方向において、第１結合領域と複数の光源との間に配置されるので、複数の光源基板間で、複数の光源の副走査方向における距離を等しくすることができる。
【００１９】
好ましくは、複数の光源基板それぞれにおいて、光源基板の複数の光源と重なり方向が第１方向で隣り合う光源基板の複数の光源との間の距離と、光源基板の複数の光源と重なり方向が第２方向で隣り合う光源基板の複数の光源との間の距離と、が予め定められた温度において同じになるように、第１結合領域および第２結合領域の位置が設定される。
【００２０】
この局面に従えば、予め定められた温度において、複数の光源基板それぞれに含まれる複数の光源間の副走査方向における距離を同じにすることができる。
【００２１】
好ましくは、複数の光源基板それぞれを、光源基板に含まれる複数の光源と副走査方向において同じ位置で副走査方向における位置を定める位置決め手段を、さらに備える。
【００２２】
この局面に従えば、複数の光源基板それぞれに含まれる複数の光源間の副走査方向における相対位置を予め定められた位置にすることができる。
【００２３】
好ましくは、複数の光源基板にそれぞれ対応し、複数の光源から射出された光を被写体に集光させる複数の光学素子を、さらに備える。
【００２４】
好ましくは、画像形成装置は、上記の露光装置を備える。
【００２５】
この局面に従えば、上記の露光装置によって複数の光源の相対位置の変化が小さくなるので、画質が安定する。その結果、安定した画質で画像を形成可能な画像形成装置を提供することができる。
【図面の簡単な説明】
【００２６】
【図１】本発明の実施の形態の１つにおけるＭＦＰの外観を示す斜視図である。
【図２】ＭＦＰの内部構成を示す模式的断面図である。
【図３】露光装置の内部構成の一例を示す斜視図である。
【図４】光源基板の側面図である。
【図５】露光装置の図３のＡ−Ａ線断面図である。
【図６】位置決めされた状態における第１〜第３光源基板の側面図である。
【図７】位置決めされた状態における第１〜第３光源基板の平面図である。
【発明を実施するための形態】
【００２７】
以下、本発明の実施の形態について図面を参照して説明する。以下の説明では同一の部品には同一の符号を付してある。それらの名称および機能も同じである。したがってそれらについての詳細な説明は繰返さない。
【００２８】
図１は、本発明の実施の形態の１つにおけるＭＦＰの外観を示す斜視図である。図２は、ＭＦＰの内部構成を示す模式的断面図である。図１および図２を参照して、ＭＦＰ（Ｍｕｌｔｉ  Ｆｕｎｃｔｉｏｎ  Ｐｅｒｉｐｈｅｒａｌ）１００は、原稿を読み取るための原稿読取部１３０と、原稿を原稿読取部１３０に搬送するための自動原稿搬送装置１２０と、原稿読取部１３０が原稿を読み取って出力する静止画像を用紙等に形成するための画像形成部１４０と、画像形成部１４０に用紙を供給するための給紙部１５０と、後処理部１５５と、ユーザーインターフェースとしての操作パネル１６０と、を含む。
【００２９】
自動原稿搬送装置１２０は、原稿トレイ１２５に載置された１以上の原稿をさばいて、１枚ずつ原稿読取部１３０に搬送する。原稿読取部１３０は、自動原稿搬送装置１２０により原稿ガラス１１上にセットされた原稿の画像を、その下方を移動するスライダー１２に取付けられた露光ランプ１３で露光する。原稿からの反射光は、ミラー１４と２枚の反射ミラー１５，１５Ａによりレンズ１６に導かれ、ＣＣＤ（Ｃｈａｒｇｅ  Ｃｏｕｐｌｅｄ  Ｄｅｖｉｃｅｓ）センサー１８に結像する。露光ランプ１３とミラー１４とは、スライダー１２に取付けられており、スライダー１２は、スキャナモーター１７により、図２中に示す矢印方向（副走査方向）へ複写倍率に応じた速度Ｖで移動する。これにより、原稿ガラス１１上にセットされた原稿を全面にわたって走査することができる。また、露光ランプ１３とミラー１４の移動に伴い、２枚の反射ミラー１５，１５Ａは、速度Ｖ／２で図２中矢印方向へ移動する。これにより、露光ランプ１３で原稿に照射された光が、原稿で反射してからＣＣＤセンサー１８に結像するまでの光路長が常に一定となる。原稿読取部１３０は、動作モードが省電力モードから通常モードに切り換わる起動時に、初期化処理としてシェーディング補正を実行し、スライダー１２を予め定められた位置に移動させる。
【００３０】
ＣＣＤセンサー１８に結像した反射光は、ＣＣＤセンサー１８内で電気信号としての画像データに変換され、メイン回路１１０に送られる。メイン回路１１０では、受取ったアナログの画像データにＡ／Ｄ変換処理、デジタル画像処理等を行なった後、画像形成部１４０に出力する。メイン回路１１０は、画像データを、シアン（Ｃ）、マゼンタ（Ｍ）、イエロー（Ｙ）、ブラック（Ｋ）の印字用データに変換し、画像形成部１４０へ出力する。
【００３１】
画像形成部１４０は、イエロー、マゼンタ、シアンおよびブラックそれぞれの画像形成ユニット２０Ｙ，２０Ｍ，２０Ｃ，２０Ｋを備える。ここで、“Ｙ”、“Ｍ”、“Ｃ”および“Ｋ”は、それぞれイエロー、マゼンタ、シアンおよびブラックを表す。画像形成ユニット２０Ｙ，２０Ｍ，２０Ｃ，２０Ｋの少なくとも１つが駆動されることにより、画像が形成される。画像形成ユニット２０Ｙ，２０Ｍ，２０Ｃ，２０Ｋのすべてが駆動されると、フルカラーの画像を形成する。画像形成ユニット２０Ｙ，２０Ｍ，２０Ｃ，２０Ｋには、イエロー、マゼンタ、シアンおよびブラックの印字用データがそれぞれ入力される。画像形成ユニット２０Ｙ，２０Ｍ，２０Ｃ，２０Ｋは、取扱うトナーの色彩が異なるのみなので、ここでは、イエローの画像を形成するための画像形成ユニット２０Ｙについて説明する。
【００３２】
画像形成ユニット２０Ｙは、イエローの印字用データが入力される露光装置２１Ｙと、露光装置２１Ｙの感光体ドラム（像担持体）２３Ｙと、帯電チャージャ２２Ｙと、現像器２４Ｙと、転写チャージャ２５Ｙと、トナーボトル４１Ｙと、を備える。トナーボトル４１Ｙは、イエローのトナーを収納する。トナーボトル４１Ｙは、モーターにより駆動される保持機構により保持される。トナーボトル４１Ｙは、内部にらせん状の突起が形成されており、保持機構により回転すると、トナーボトル４１Ｙ内のトナーは、現像器２４Ｙに供給される。現像器２４Ｙは、トナーボトル４１Ｙから供給されたトナーを攪拌するためのスクリューシャフト、そのスクリューシャフトを回転させるためのモーター、およびモーターの動力をスクリューに伝達するためのギアを備える。
【００３３】
露光装置２１Ｙは、メイン回路１１０から受取った印字用データ（電気信号）に応じて発光し、被写体である感光体ドラム２３Ｙを露光する。感光体ドラム２３Ｙは、モーターの動力がギアを介して伝達されて回転する。感光体ドラム２３Ｙは、帯電チャージャ２２Ｙによって帯電された後、露光装置２１Ｙが発光するレーザー光が照射される。これにより、感光体ドラム２３Ｙに静電潜像が形成される。続いて、現像器２４Ｙにより、静電潜像上にトナーが載せられてトナー像が形成される。感光体ドラム２３Ｙ上に形成されたトナー像は、中間転写ベルト３０上に、転写チャージャ２５Ｙにより転写される。
【００３４】
一方、中間転写ベルト３０は、駆動ローラー３３Ｃとローラー３３Ａとにより弛まないように懸架されている。駆動ローラー３３Ｃが図２中で反時計回りに回転すると、中間転写ベルト３０が所定の速度で図中反時計回りに回転する。中間転写ベルト３０の回転に伴って、ローラー３３Ａが、反時計回りに回転する。
【００３５】
これにより、画像形成ユニット２０Ｙ、２０Ｍ，２０Ｃ，２０Ｋが、順に中間転写ベルト３０上にトナー像を転写する。画像形成ユニット２０Ｙ、２０Ｍ，２０Ｃ，２０Ｋそれぞれが、中間転写ベルト３０上にトナー像を転写するタイミングは、中間転写ベルト３０に付された基準マークを検出することにより、調整される。これにより、イエロー、マゼンタ、シアンおよびブラックのトナー像が中間転写ベルト３０上に重畳される。
【００３６】
中間転写ベルト３０に形成されたトナー像は、転写ローラー２６によって用紙に転写される。トナー像が転写された用紙は、定着ローラー対３２に搬送され、定着ローラー対３２により加熱される。これにより、トナーが溶かされて用紙に定着する。その後、用紙は後処理部１５５に搬送される。
【００３７】
給紙カセット３５，３５Ａ，３５Ｂには、それぞれサイズの異なる用紙がセットされている。給紙カセット３５，３５Ａ，３５Ｂそれぞれに収納された用紙は、給紙カセット３５，３５Ａ，３５Ｂにそれぞれ取付けられている取出ローラー３６，３６Ａ，３６Ｂにより、搬送経路へ供給され、給紙ローラー３７によりタイミングローラー３１へ送られる。
【００３８】
ＭＦＰ１００は、フルカラーの画像を形成する場合、画像形成ユニット２０Ｙ，２０Ｍ，２０Ｃ，２０Ｋのすべてを駆動するが、モノクロの画像を形成する場合、画像形成ユニット２０Ｙ，２０Ｍ，２０Ｃ，２０Ｋのいずれか１つを駆動する。また、画像形成ユニット２０Ｙ，２０Ｍ，２０Ｃ，２０Ｋの２以上を組み合わせて画像を形成することもできる。なお、ここでは、用紙に４色のトナーそれぞれを形成する画像形成ユニット２０Ｙ、２０Ｍ，２０Ｃ，２０Ｋを備えたタンデム方式のＭＦＰ１００について説明するが、１つの感光体ドラムで４色のトナーを順に用紙に転写する４サイクル方式のＭＦＰであってもよい。
【００３９】
後処理部１５５は、複数の排紙トレイを備える。後処理部１５５は、画像形成部１４０により画像が形成された用紙を受け付け、用紙に対して後処理を実行する。後処理は、限定するものではないが、複数の用紙を複数の排紙トレイのいずれかに搬送することによって複数の用紙をソートする処理、用紙にパンチ穴を開ける処理、用紙にステープル針を打ち込む処理を含む。
【００４０】
次に、露光装置２１Ｙ，２１Ｍ，２１Ｃ，２１Ｋについて説明する。露光装置２１Ｙ，２１Ｍ，２１Ｃ，２１Ｋはすべて同じなので、ここでは、露光装置２１Ｙを例に説明する。
【００４１】
図３は、露光装置の内部構成の一例を示す斜視図である。図３を参照して、露光装置２１Ｙは、３つの第１光源基板２０１、第２光源基板２０２および第３光源基板２０３と、３つの第１光源基板２０１、第２光源基板２０２および第３光源基板２０３にそれぞれ対応する３つのロッドレンズアレイ２２１，２２２，２２３と、を備える。３つの第１光源基板２０１、第２光源基板２０２および第３光源基板２０３それぞれは、主走査方向に沿って複数の光源２２０が配列される。光源２２０は、ＯＬＥＤ（Ｏｒｇａｎｉｃ  Ｌｉｇｈｔ−Ｅｍｉｔｔｉｎｇ  Ｄｉｏｄｅ）である。なお、光源２２０は、ＯＬＥＤに限らず、ＬＥＤであってもよい。ロッドレンズアレイ２２１は、第１光源基板２０１に形成された複数の光源２２０から射出される光を感光体ドラム２３Ｙに集光させる。このため、第１光源基板２０１と、ロッドレンズアレイ２２１との相対位置は、第１光源基板２０１に形成された複数の光源２２０の位置によって定まる。同様に、第２光源基板２０２と、それに対応するロッドレンズアレイ２２２との相対位置は、第２光源基板２０２に形成された複数の光源２２０の位置によって定まる。第３光源基板２０３と、それに対応するロッドレンズアレイ２２３との相対位置は、第３光源基板２０３に形成された複数の光源２２０の位置によって定まる。
【００４２】
第１光源基板２０１、第２光源基板２０２および第３光源基板２０３は、それぞれに含まれる複数の光源２２０の光軸の副走査方向の距離が所定の間隔となるように配置される。また、第１光源基板２０１、第２光源基板２０２および第３光源基板２０３それぞれにおいて、複数の光源は等間隔で配置され、第１光源基板２０１、第２光源基板２０２および第３光源基板２０３は、それぞれに含まれる複数の光源２２０の光軸が主走査方向に重なることなく、ずれて配置される。
【００４３】
図４は、光源基板の側面図である。ここでは、第１光源基板２０１の側面図を示している。第１光源基板２０１は、複数の光源２２０を含む接触領域２３１と、複数の光源２２０を駆動するための電気回路が形成される回路領域２３３と、を含む。回路領域２３３には、複数の光源２２０にそれぞれ対応する複数の電気回路が形成される。
【００４４】
図５は、露光装置の図３のＡ−Ａ線断面図である。ここでは、３つの第１光源基板２０１、第２光源基板２０２および第３光源基板２０３と、露光装置２１Ｙの本体ケース２９１の一部を示している。図５を参照して、３つの第１光源基板２０１、第２光源基板２０２および第３光源基板２０３は、それぞれに含まれる複数の光源２２０が配列される主走査方向が平行となるように配置される。また、３つの第１光源基板２０１、第２光源基板２０２および第３光源基板２０３は、それぞれに含まれる複数の光源２２０の光軸が副走査方向にずれて配置される。さらに、３つの第１光源基板２０１、第２光源基板２０２および第３光源基板２０３は、それぞれに含まれる複数の光源２２０が、主走査方向および副走査方向に直行する重なり方向にずれて配置される。
【００４５】
具体的には、第１光源基板２０１の上方に第２光源基板２０２が配置され、第１光源基板２０１の複数の光源２２０が形成される領域以外の部分と、第２光源基板２０２の一部とが重なる。第１光源基板２０１の下方に第３光源基板２０３が配置され、第３光源基板２０３の複数の光源２２０が形成される領域以外の部分と、第２光源基板２０２の一部とが重なる。第３光源基板２０３の複数の光源２２０が形成される領域は、第１光源基板２０１および第２光源基板２０２のいずれとも重ならない。
【００４６】
第２光源基板２０２は、複数の光源２２０を含む接触領域２３１で第１光源基板２０１と、接触部材２４１を介して接触する。接触部材２４１は、材質を限定するものではないが、熱伝導率の高い部材であることが好ましい。接触部材２４１は、第２光源基板２０２に接着材等で取り付けられる。接触部材２４１は、第１光源基板２０１に接着されず、第１光源基板２０１に対して摺動可能である。第２光源基板２０２は、複数の光源２２０からの距離が最短となる接触領域２３１で第１光源基板２０１と接触するので、第２光源基板２０２の複数の光源２２０で発した熱が接触部材２４１および第１光源基板２０１に伝導する。このため、第２光源基板２０２において複数の光源２２０における温度の上昇をできるだけ小さくすることができ、第２光源基板２０２が、部分的に上昇する温度をできるだけ低くすることができる。
【００４７】
第１光源基板２０１は、複数の光源２２０を含む接触領域２３１で第３光源基板２０３と、接触部材２４１を介して接触する。接触部材２４１は、第１光源基板２０１に接着材等で取り付けられる。接触部材２４１は、第３光源基板２０３に接着されず、第３光源基板２０３に対して摺動可能である。第１光源基板２０１は、複数の光源２２０からの距離が最短となる接触領域２３１で第３光源基板２０３と接触するので、第１光源基板２０１の複数の光源２２０で発した熱が接触部材２４１および第３光源基板２０３に伝導する。このため、第１光源基板２０１において複数の光源２２０における温度の上昇をできるだけ小さくすることができ、第１光源基板２０１が、部分的に上昇する温度をできるだけ低くすることができる。
【００４８】
このように、第１光源基板２０１は、第２光源基板２０２と接触部材２４１を介して接触し、第３光源基板２０３と接触部材２４１を介して接触するので、第１光源基板２０１、第２光源基板２０２および第３光源基板２０３それぞれにおいて、部分的な温度の上昇をできるだけ少なくすることができる。このため、第１光源基板２０１、第２光源基板２０２および第３光源基板２０３それぞれにおいて、熱膨張による変形をできるだけ少なくすることができる。特に、第１光源基板２０１、第２光源基板２０２および第３光源基板２０３それぞれにおいて、長手方向である主走査方向におけるそりを少なくすることができる。
【００４９】
第１光源基板２０１は、接触領域２３１とは別の第１結合領域２５１で第２光源基板２０２の第２結合領域２６２と、第１結合部材２８１を介して結合される。第１結合部材２８１は、材質を限定するものではないが、熱伝導率の高い部材であることが好ましい。第１結合部材２８１は、第１光源基板２０１および第２光源基板２０２にそれぞれ接着材等で取り付けられる。このため、第１光源基板２０１の複数の光源２２０と、第２光源基板２０２の複数の光源２２０との副走査方向における相対位置は、第１結合部材２８１の位置を基準に定まる。
【００５０】
第１光源基板２０１は、複数の光源２２０を含む接触領域２３１とは別の第２結合領域２６１で第３光源基板２０３の第１結合領域２５３と、第２結合部材２８２を介して結合される。第２結合部材２８２は、第１結合部材２８１と同一の材質である。第２結合部材２８２は、第１光源基板２０１および第３光源基板２０３にそれぞれ接着材等で取り付けられる。このため、第１光源基板２０１の複数の光源２２０と、第３光源基板２０３の複数の光源との副走査方向における相対位置は、第２結合部材２８２の位置を基準に定まる。
【００５１】
第３光源基板２０３は、複数の光源２２０を含む接触領域２３１で本体ケース２９１と、第３結合部材２８３を介して結合される。第３結合部材２８３は、材質を限定するものではないが、熱伝導率の高い部材であることが好ましい。
【００５２】
第１光源基板２０１において、第１結合領域２５１および第２結合領域２６１は複数の光源２２０に対して副走査方向において上流側に位置する。第１光源基板２０１において、第２結合領域２６１は、第１結合領域２５１と複数の光源２２０との間に位置する。第２光源基板２０２において、第２結合領域２６２は複数の光源２２０に対して副走査方向において上流側に位置する。第３光源基板２０３において、第１結合領域２５３は複数の光源２２０に対して副走査方向において上流側に位置する。
【００５３】
ここで、第２結合部材２８２を基準にして、第１光源基板２０１の複数の光源２２０と、第２光源基板２０２の複数の光源２２０と、第３光源基板２０３の複数の光源２２０と、の相対位置の変化について説明する。ここでは、第１光源基板２０１、第２光源基板２０２および第３光源基板２０３それぞれの熱膨張係数が同じとし、第１光源基板２０１、第２光源基板２０２および第３光源基板２０３それぞれの温度が均一であると仮定し、温度がΔＴだけ上昇した場合を例に説明する。
【００５４】
第２光源基板２０２における第２結合領域２６２と複数の光源２２０との間の距離をＬ１、第１光源基板２０１における第２結合領域２６１と複数の光源２２０との間の距離をＬ２、第１光源基板２０１における第１結合領域２５１と第２結合領域２６１との間の距離をＬ３、第３光源基板２０３における第１結合領域２５３と複数の光源２２０との間の距離をＬ４とする。
【００５５】
第３光源基板２０３の複数の光源２２０はΔＬ４だけ副走査方向の下流側に移動する。また、第１光源基板２０１の複数の光源２２０はΔＬ２だけ副走査方向の下流側に移動する。さらに、第２光源基板２０２の第２結合領域２６２はΔＬ３だけ副走査方向の上流側に移動し、第２光源基板２０２の複数の光源２２０は、第２結合領域２６２に対してΔＬ１だけ副走査方向の下流側に移動する。このため、第１光源基板２０１の複数の光源２２０は、第２結合部材２８２に対してΔＬ３−ΔＬ１だけ副走査方向の上流側に移動する。第１光源基板２０１の複数の光源２２０と第２光源基板２０２の複数の光源２２０との間隔ＢＴ１と、第１光源基板２０１の複数の光源２２０と第３光源基板２０３の複数の光源２２０との間隔ＢＴ２とは、温度の変化する前後で同じであることが好ましい。したがって、次式（１）が成立するように、Ｌ１〜Ｌ４を定めるのが好ましい。
【００５６】
（ΔＬ３−ΔＬ１）＋ΔＬ２＝ΔＬ４−ΔＬ２  …  （１）
距離Ｌ１〜Ｌ４は、できるだけ小さな値とするのが好ましい。また、第１光源基板２０１と、第２光源基板２０２と、第３光源基板２０３それぞれの温度が収束する値が予め判っている場合は、それらの値を用いて、式（１）を用いてＬ１〜Ｌ４を定めるようにすればよい。
【００５７】
＜変形例＞
上述した実施の形態においては、第１光源基板２０１と第２光源基板２０２とを第１結合部材２８１で結合し、第１光源基板２０１と第３光源基板２０３とを第２結合部材２８２で結合するようにした。変形例における露光装置２１Ｙは、第１光源基板２０１と第２光源基板２０２とを結合しないようにし、第１光源基板２０１と第３光源基板２０３とを結合しないようにしたものである。
【００５８】
図６は、位置決めされた状態における第１〜第３光源基板の側面図である。図７は、位置決めされた状態における第１〜第３光源基板の平面図である。図６および図７を参照して、第１光源基板２０１は、複数の光源２２０と副走査方向に同じ位置で、主走査方向に平行な突起部３０１Ａ、３０１Ｂを有する。第２光源基板２０２は、複数の光源２２０と副走査方向に同じ位置で、主走査方向に平行な突起部３０２Ａ、３０２Ｂを有する。第３光源基板２０３は、複数の光源２２０と副走査方向に同じ位置で、主走査方向に平行な突起部３０３Ａ、３０３Ｂを有する。
【００５９】
第１位置決め部材３１０Ａは、突起部３０１Ａ、突起部３０２Ａおよび突起部３０３Ａが挿入される孔３１１Ａ、３１２Ａ，３１３Ａを有し、露光装置２１Ｙの本体ケース２９１に固定される。第２位置決め部材３１０Ｂは、突起部３０１Ｂ、突起部３０２Ｂおよび突起部３０３Ｂが挿入される孔３１１Ｂ、３１２Ｂ，３１３Ｂを有し、露光装置２１Ｙの本体ケース２９１に固定される。
【００６０】
このため、第１光源基板２０１、第２光源基板２０２および第３光源基板２０３が、温度の変化によって熱膨張する場合であっても、第１光源基板２０１の複数の光源２２０、第２光源基板２０２の複数の光源２２０、および第３光源基板２０３の複数の光源２２０それぞれと、本体ケース２９１との副走査方向の相対位置が変化しないようにすることができる。
【００６１】
以上説明したように本実施の形態におけるＭＦＰ１００は、画像形成装置として機能し、露光装置２１Ｙ，２１Ｍ，２１Ｃ，２１Ｋを備える。この露光装置２１Ｙ，２１Ｍ，２１Ｃ，２１Ｋは、それぞれが複数の光源２００が主走査方向に配列された第１光源基板２０１、第２光源基板２０２および第３光源基板２０３を含むので、複数の光源２２０から発生する熱を第１光源基板２０１、第２光源基板２０２および第３光源基板２０３間で分散することができる。また、複数の光源２２０の光軸が副走査方向にずれるように第１光源基板２０１、第２光源基板２０２および第３光源基板２０３が配置されるので、第１光源基板２０１、第２光源基板２０２および第３光源基板２０３それぞれにおいて複数の光源２２０の主走査方向の間隔としてある程度の距離を確保することができる。このため、熱源が第１光源基板２０１、第２光源基板２０２および第３光源基板２０３に分散するので、第１光源基板２０１、第２光源基板２０２および第３光源基板２０３ぞれぞれの変形を小さくすることができ、複数の光源２２０の相対位置の変化を小さくすることができる。
【００６２】
また、第１光源基板２０１、第２光源基板２０２および第３光源基板２０３は、主走査方向および副走査方向にそれぞれ交わる重なり方向にずれるように配置されるので、露光装置２１Ｙの副走査方向のサイズを小さくすることができる。
【００６３】
また、第１光源基板２０１は、重なり方向に隣り合う第２光源基板２０２と、第２光源基板２０２の接触領域２３１で熱伝導可能な状態で結合され、重なり方向に隣り合う第３光源基板２０３と、第１光源基板２０１の接触領域２３１で熱伝導可能な状態で結合される。このため、第１光源基板２０１、第２光源基板２０２および第３光源基板２０３間で伝熱するので、複数の光源２２０から発する熱を効率的に伝熱することができる。
【００６４】
また、第１光源基板２０１と第２光源基板２０２とが接触部材２４１を介して結合され、第１光源基板２０１と第３光源基板２０３とが接触部材２４１を介して結合されるので、効率的に伝熱することができる。
【００６５】
また、第１光源基板２０１は、重なり方向が第１方向である上側で隣り合う第２光源基板２０２と結合する第１結合領域２５１と、重なり方向が第２方向である下側で隣り合う第３光源基板２０３と結合する第２結合領域２６１とを含み、第２光源基板２０２は、重なり方向が第２方向である下側で隣り合う第１光源基板２０１と結合する第２結合領域２６２を含み、第３光源基板２０３は、重なり方向が第１方向である上側で隣り合う第１光源基板２０１と結合する第１結合領域２５３を含む。第１光源基板２０１において、第２結合領域２６１は、副走査方向において、第１結合領域２５１と複数の光源２２０との間に配置される。第１光源基板２０１の第１結合領域２５１と第２光源基板２０２の第２結合領域２６２とが第１結合部材２８１で物理的に結合されるので、第１光源基板２０１と第２光源基板２０２にそれぞれに含まれる複数の光源２２０の副走査方向における距離を、第１結合部材２８１の位置を基準に定めることができる。同様に、第１光源基板２０１の第２結合領域２６１と第３光源基板２０３の第１結合領域２５３とが第２結合部材２８２で物理的に結合されるので、第１光源基板２０１と第３光源基板２０３にそれぞれに含まれる複数の光源２２０の副走査方向における距離を、第２結合部材２８２の位置を基準に定めることができる。その結果、第１光源基板２０１の複数の光源２２０と、第２光源基板２０２の複数の光源２２０との間の副走査方向における距離と、第１光源基板２０１の複数の光源２２０と、第３光源基板２０３の複数の光源２２０との間の副走査方向における距離と、を等しくすることができる。
【００６６】
また、第１光源基板２０１の複数の光源２２０と、第２光源基板２０２の複数の光源２２０との間の副走査方向における距離と、第１光源基板２０１の複数の光源２２０と、第３光源基板２０３の複数の光源２２０との間の副走査方向における距離と、が予め定められた温度において同じになるように、第１結合領域２５１および第２結合領域２６１の位置が設定される。第２光源基板２０２の複数の光源２２０と第１光源基板２０１の複数の光源２２０との相対位置は、第１結合領域２５１と第２光源基板２０２の複数の光源２２０との間の距離Ｌ１と、第１結合領域２５１と第２結合領域２６１との間の距離Ｌ３と、第２結合領域２６１と第１光源基板２０１の複数の光源２２０との間の距離Ｌ２と、から定まる。第１光源基板２０１の複数の光源２２０と第３光源基板２０３の複数の光源２２０との相対位置は、第２結合領域２６１と第１光源基板２０１の複数の光源２２０との間の距離Ｌ２と、第２結合領域２６１と第３光源基板２０３の複数の光源２２０との間の距離Ｌ４とから定まる。このため、第１光源基板２０１、第２光源基板２０２および第３光源基板２０３それぞれに含まれる複数の光源２２０の副走査方向における間隔を、予め定められた温度で同じにすることができる。
【００６７】
また、変形例における露光装置２１Ｙは、第１位置決め部材３１０Ａおよび第２位置決め部材３１０Ｂを備えるので、第１光源基板２０１、第２光源基板２０２および第３光源基板２０３が、温度の変化によって熱膨張する場合であっても、第１光源基板２０１の複数の光源２２０、第２光源基板２０２の複数の光源２２０、および第３光源基板２０３の複数の光源２２０それぞれと、本体ケース２９１との副走査方向の相対位置が変化しないようにすることができる。
【００６８】
ＭＦＰ１００は、上記の露光装置２１Ｙ，２１Ｍ，２１Ｃ，２１Ｋを備えるので、露光装置２１Ｙ，２１Ｍ，２１Ｃ，２１Ｋそれぞれの複数の光源２２０の相対位置の変化が小さくなるので、画質が安定する。このため、ＭＦＰ１００は、安定した画質で画像を形成することができる。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７０】
＜付記＞
（１）  複数の前記光源基板にそれぞれに含まれる複数の前記光源の光軸の前記副走査方向の距離が所定の間隔となるように配置される、請求項１に記載の露光装置。
（２）  複数の前記光源基板それぞれにおいて、複数の前記光源は等間隔で配置され、
複数の前記光源基板は、複数の前記光源基板それぞれに含まれる複数の前記光源の光軸が前記主走査方向にずれるように配置される、請求項１に記載の露光装置。これにより、解像度を大きくすることができる。
【符号の説明】
【００７１】
１００  ＭＦＰ、２０Ｙ，２０Ｍ，２０Ｃ，２０Ｋ  画像形成ユニット、２１Ｙ，２１Ｍ，２１Ｃ，２１Ｋ  露光装置、２３Ｙ，２３Ｍ，２３Ｃ，２３Ｋ  感光体ドラム、２４Ｙ，２４Ｍ，２４Ｃ，２４Ｋ  現像器、３０  中間転写ベルト、３２  定着ローラー対、４１Ｙ，４１Ｍ，４１Ｃ，４１Ｋ  トナーボトル、１１０  メイン回路、１２０  自動原稿搬送装置、１３０  原稿読取部、１４０  画像形成部、１５０  給紙部、１５５  後処理部、１６０  操作パネル、２０１  第１光源基板、２０２  第２光源基板、２０３  第３光源基板、２２０  光源、２２１，２２２，２２３  ロッドレンズアレイ、２３３  回路領域、２３１  接触領域、２３２  接触領域、２４１  接触部材、２５１，２５３  第１結合領域、２６１，２６２  第２結合領域、２８１  第１結合部材、２８２  第２結合部材、２８３  第３結合部材、２９１  本体ケース、３０１Ａ，３０１Ｂ，３０２Ａ，３０２Ｂ，３０３Ａ，３０３Ｂ  突起部、３１０Ａ  第１位置決め部材、３１０Ｂ  第２位置決め部材。
【図１】
2019209586.tif 000003
【図２】
2019209586.tif 000004
【図３】
2019209586.tif 000005
【図４】
2019209586.tif 000006
【図５】
2019209586.tif 000007
【図６】
2019209586.tif 000008
【図７】
2019209586.tif 000009